(57)【要約】【課題】  投射型画像表示装置において、ランプ交換蓋が急に開いた場合等に、ランプ交換が可能な程度にファンが十分に減速する、又は完全に停止するまで時間がかかっていたこと。【解決手段】  上記課題を解決するために、本発明の投射型画像表示装置は、  光変調素子により変調された光を被投射面に投射する投射型画像表示装置であって、  前記光変調素子を照明するランプを含むランプユニットと、  前記ランプを冷却するファンと、  前記ランプユニットと前記ファンを収容し、前記ランプユニットを交換する際に開閉されるカバーを有する筐体と、  前記カバーが開けられた場合に、前記ファンに当接して前記ファンの回転を抑制する制動手段を有する。【選択図】  図１
2014122934.tif 000002
【特許請求の範囲】
【請求項１】
光変調素子により変調された光を被投射面に投射する投射型画像表示装置であって、
前記光変調素子を照明するランプを含むランプユニットと、
前記ランプを冷却するファンと、
前記ランプユニットと前記ファンを収容し、前記ランプユニットを交換する際に開閉されるカバーを有する筐体と、
前記カバーが開けられた場合に、前記ファンに当接して前記ファンの回転を抑制する制動手段を有することを特徴とする投射型画像表示装置。
【請求項２】
前記ファンは前記カバーに対して固定されており、前記カバーと一体的に移動することを特徴とする請求項１に記載の投射型画像表示装置。
【請求項３】
前記制動手段は、前記カバーの開閉に連動して回転することにより、前記ファンに対する当接状態と非当接状態が切り換わることを特徴とする請求項１又は２に記載の投射型画像表示装置。
【請求項４】
前記ファンは、軸部と該軸部が回転することにより該軸部を中心に回転する複数の羽根を有する軸流ファンであり、前記制動手段は、前記軸部に対して当接することを特徴とする請求項１乃至３のいずれか１項に記載の投射型画像表示装置。
【請求項５】
第１及び第２当接部を有し、前記第１当接部がファンに当接した当接状態とファンに当接しない非当接状態とを取り得るように、前記カバーに回動可能に設けられた可動部材と、
前記当接状態となる回動方向に前記可動部材に付勢力を与える付勢部材とを備え、
前記カバーが開いている状態において、前記可動部材が当接状態になり、
前記カバーが閉じている状態において、前記第２当接部が投射型画像表示装置のファン以外の部分に当接することにより、前記付勢力に抗して前記可動部材が非当接状態となることを特徴とする請求項１乃至４のいずれか１項に記載の投射型画像表示装置。
【請求項６】
前記投射型画像表示装置のファン以外の部分は、前記ランプユニットを収納する光学ボックスの壁部であることを特徴とする請求項５に記載の投射型画像表示装置。
【請求項７】
前記カバーが閉じている状態において、前記投射型画像表示装置のファン以外の部分は、前記第２当接部を付勢することにより前記第１当接部を前記ファンの吸気面に重ならない位置に退避させることを特徴とする請求項５又は６に記載の投射型画像表示装置。
【請求項８】
前記ランプは、前記ファンの吸気面側に配置されていることを特徴とする請求項１乃至７のいずれか１項に記載の投射型画像表示装置。
【請求項９】
前記カバーの一端は前記筐体に対して固定されており、前記固定された部分を中心として前記カバーの他端が回転することにより、前記カバーは開閉されることを特徴とする請求項１乃至８のいずれか１項に記載の投射型画像表示装置。
【請求項１０】
前記光変調素子からの光を被投射面に投射する投射光学系を有することを特徴とする請求項１乃至９のいずれか１項に記載の投射型画像表示装置。
【発明の詳細な説明】
【技術分野】
【０００１】
本発明は、ランプを交換可能な投射型画像表示装置に関する。
【背景技術】
【０００２】
従来、投射型画像表示装置においては、消耗品であるランプを交換するものがあった。特許文献１は、ランプカバーが開いたことを検知した場合に、ランプの近傍に配置されたファンを減速又は停止させることを開示している。
【先行技術文献】
【特許文献】
【０００３】
【特許文献１】特開２００６−１４６０４６号公報
【発明の概要】
【発明が解決しようとする課題】
【０００４】
しかし、特許文献１では、ランプ交換蓋が急に開いた場合等に、ランプ交換が可能な程度にファンが十分に減速する、又は完全に停止するまで時間がかかっていた。
【課題を解決するための手段】
【０００５】
上記課題を解決するために本発明の投射型画像表示装置は、
光変調素子により変調された光を被投射面に投射する投射型画像表示装置であって、
前記光変調素子を照明するランプを含むランプユニットと、
前記ランプを冷却するファンと、
前記ランプユニットと前記ファンを収容し、前記ランプユニットを交換する際に開閉されるカバーを有する筐体と、
前記カバーが開けられた場合に、前記ファンに当接して前記ファンの回転を抑制する制動手段を有することを特徴とする。
【０００６】
また、光源からの光を被投射面に投射する投射光学系を含み、該投射光学系が一体に設けられた又は取り外し可能に装着される投射型画像表示装置も本発明の他の一側面を構成する。
【発明の効果】
【０００７】
本発明によれば、ランプ交換蓋が開けられた際に、ファンの回転を迅速に抑制することができる。
【図面の簡単な説明】
【０００８】
【図１】本発明の実施形態１に係る投射型画像表示装置のランプ交換蓋が閉じた状態における概略構成図
【図２】本発明の実施形態１に係る投射型画像表示装置のランプ交換蓋が開いている状態における概略構成図
【図３】本発明の実施形態１に係る投射型画像表示装置のランプ交換蓋を閉じた状態におけるランプ交換蓋周辺の拡大模式図
【図４】本発明の実施形態１に係る投射型画像表示装置のランプ交換蓋が開いている状態におけるランプ交換蓋周辺の拡大模式図
【図５】本発明の変形例に係る投射型画像表示装置のランプ交換蓋を閉じた状態における概略構成図
【図６】本発明の実施形態２に係る投射型画像表示装置のランプ交換蓋を閉じた状態におけるランプ交換蓋周辺の拡大模式図
【発明を実施するための形態】
【０００９】
《実施形態１》
図１は、本発明の実施形態１に係る投射型画像表示装置のランプ交換蓋（カバー）が閉じた状態における概略構成図である。
【００１０】
ランプユニット３は、ランプ２が収納されるユニットである。本明細書において、ランプ２は、光源と光源からの光を所定の方向に反射させるリフレクタを含む。ランプユニット３は、ランプ２からの光で液晶パネル（光変調素子）を照明すると共に、液晶パネルにより変調された画像光を被投射面に投射する投射光学系５に導く光学部材を保持する光学ボックス４に収納されている。ランプユニット３は、筐体１に収容され、筐体１内から取り外し可能に設けられており、ランプユニット３を新しいランプユニットに交換することによって、ランプの交換が行われる。
【００１１】
ランプ交換蓋１０は、筐体１の一部に設けられた不図示のランプを交換するための開口を塞ぐように、開閉可能に設けられたランプ交換蓋である。ランプ交換蓋１０は、四角柱形状のボックスであり、排気ファン９が、ボックス内部に固定された状態で収納されている。即ち、ランプ交換蓋１０を開閉する際に、排気ファン９はランプ交換蓋１０と一体的に移動する。
【００１２】
排気ファン９は、主にランプ２を冷却するファンであり、ランプ２によって熱せられた空気を筐体外へ排気する。排気ファン９は、ランプ交換蓋１０を閉じている状態において、筐体１に収容されている。本実施形態において排気ファン９は、軸部と該軸部が回転することにより該軸部を中心に回転する複数の羽根を有する軸流ファンである。
【００１３】
排気ファン８は、投射型画像表示装置を駆動する為の電源部６、各種制御をするための制御部７を主に冷却する排気ファンである。
【００１４】
図２は、投射型画像表示装置のランプ交換蓋が開いている状態における投射型画像表示装置の概略構成図である。
【００１５】
ランプ交換蓋１０は回転軸１０ａを支点としてＡ３方向（回転軸１０ａを支点として時計回り）に開くよう構成されている。言い換えれば、ランプ交換蓋１０は、ランプ交換蓋１０の一端が筐体１に対して固定され、固定された部分を中心軸としてランプ交換蓋１０の他端が回転することにより開閉される。ユーザは、ランプ交換蓋１０を開き、ランプユニット３をＡ４方向に引き出して、ランプユニット３を交換する。
【００１６】
本実施形態において、装置の電源がＯＮの状態において、ランプ交換蓋１０が開けられた場合には、ランプ交換蓋１０の開閉を検知する不図示の検知手段によりランプ交換蓋１０が開いたことが検知されると、制御部７は排気ファン９への給電を断つ。
【００１７】
図３は、投射型画像表示装置のランプ交換蓋１０を閉じた状態におけるランプ交換蓋周辺の拡大模式図である。符号１１は、ランプ交換蓋１０が開いたときに、排気ファン９の回転を抑制する制動手段を示す。制動手段１１は、当接部１１ｂ（第１当接部）と当接部１１ｃ（第２当接部）を有し、当接部１１ｂが排気ファン９に当接した当接状態と排気ファン９に当接しない非当接状態とを取り得るように、ランプ交換蓋１０に回動可能に設けられた可動部材１１ｄを有する。
【００１８】
さらに、制動手段１１は、当接部１１ｂを有する可動部材１１ｄが排気ファン９に対して当接状態となる回動方向に可動部材１１ｄに付勢力を与える不図示のバネ（付勢部材）を有する。バネは、回転軸部１１ａに設けられている。
【００１９】
ランプ交換蓋１０が閉じている状態においては、可動部材１１ｄの一端の当接部１１ｃは光学ボックス４（投射型画像表示装置の排気ファン９以外の部分）に当接する。当接部１１ｃは、光学ボックス４によってＡ１方向に押されるので、バネの付勢力に抗して可動部材１１ｄの他方の当接部１１ｂは、排気ファン９に対して非当接状態となる。
【００２０】
ランプ交換蓋１０が閉じられている途中においては、当接部１１ｃが光学ボックス４によってＡ１方向に押されることにより、当接部１１ｂは回転軸部１１ａを支点としてＡ２方向に移動する。
【００２１】
図４は、ランプ交換蓋が開いている状態におけるランプ交換蓋周辺の拡大模式図である。ランプ交換蓋１０が開いている状態においては、可動部材１１ｄの一端の当接部１１ｃは、光学ボックス４の壁部から押されないため、バネの作用によりＡ５方向に移動する。他方の当接部１１ｂはＡ６方向に移動して、排気ファン９の軸部に当接し、排気ファン９の回転を抑制する。つまり、制動手段１１は、ランプ交換蓋１０の開閉に連動して移動することにより、排気ファン９に対して当接状態と非当接状態が変わるように構成されている。ここで、本明細書において、「ファンの回転を抑制する」とは、「ファンの回転速度を減速する」意味に限られず、最終的に「ファンの回転を停止させる」意味も含む。
【００２２】
本発明によれば、ランプ交換蓋１０が開けられた場合に、物理的に排気ファン９に当接してファンの回転を抑制する制動手段を有するので、電気的な制御に対して、より迅速にファンを減速又は停止させることができる。
【００２３】
また、ランプ２を排気ファン９の吸気面側に配置することにより、ランプ２周りの高温の空気が筐体内に留まることを極力抑えて、効率良く筐体外へと排気できる。
【００２４】
また、ランプ交換蓋１０と排気ファン９とを一体的に構成することで、ユーザが少ない手数でランプユニット３の交換を行える。
【００２５】
以上、ランプ交換蓋１０と排気ファン９とを一体的に構成した実施形態について説明したが、ランプ交換蓋１０と排気ファン９とが一体的に構成されていない場合であっても本発明の効果を得ることができる。
【００２６】
図５は、本発明の実施形態１に係る投射型画像表示装置の変形例の一例を示す概略構成図である。実施形態１と異なる点は、排気ファン９の配置であり、ランプユニット３が排気ファン９とランプ交換蓋１０との間に配置されている。実施形態１と比べると、ランプ２に対する熱の排気効率は落ちるものの、制御部７に対する排気効率を向上させた実施形態である。
【００２７】
本変形例における制動手段は、ランプ交換蓋１０が開くと、排気ファン９に対して当接状態となり、ランプ交換蓋１０が閉じられると、排気ファン９に対して非当接状態となるように構成されている。具体的には、ランプ交換蓋１０の開閉運動（回転運動）を、排気ファン９の吸気面の法線方向の移動運動に変換する機構を設け、ランプ交換蓋１０の開閉運動に伴って排気ファン９に対して当接状態と非当接状態が切り換わる突出部等を設ければよい。
【００２８】
本変形例においても、ランプ交換蓋１０が開けられた場合に、排気ファン９に当接してファンの回転を抑制する制動手段を設けることで、より迅速にファンを減速又は停止させることができる。
【００２９】
《実施形態２》
図６は、本発明の実施形態２に係る投射型画像表示装置のランプ交換蓋を閉じた状態におけるランプ交換蓋周辺の拡大模式図である。
【００３０】
実施形態２において実施形態１と異なる点は、光学ボックス４に設けられた突起部４ａである。突起部４ａ（他の部材）により、ランプ交換蓋１０が閉じられた状態において、制動手段１１の一端の当接部１１ｃが、Ａ７方向へ深く押し込まれる。これにより、他方の当接部１１ｂはＡ８方向へ高く持ち上げられ、排気ファン９の吸気範囲Ｓからより離れる方向へ移動する。これにより、ランプ交換蓋１０が閉じられた状態において、排気ファン９の吸気抵抗を下げることができるので、冷却効率を向上させることができる。言い換えれば、突起部４ａは、ランプ交換蓋１０が閉じている状態において、当接部１１ｂを排気ファン９の吸気面に重ならない位置に退避させる。
【００３１】
尚、本実施形態においては、当接部１１ｂと光学ボックス４とが干渉しないように、光学ボックス４に凹部を設けている。
【００３２】
また、実施形態１、２における制動手段１１の当接部１１ｃは、ランプ交換蓋１０が開くにつれて光学ボックス４の壁部又は突起部４ａから遠ざかる方向へ移動し、ランプ交換蓋１０の開閉を妨げないように構成されている。
【００３３】
各実施形態においては、ランプとランプを保持する部材とでランプユニットが構成される例を示したが、本発明において「ランプユニット」とはランプのみから成る場合も包含するものである。
【符号の説明】
【００３４】
２  ランプ
３  ランプユニット
９  排気ファン
１０  ランプ交換蓋
１１  制動手段
【図１】
2014122934.tif 000003
【図２】
2014122934.tif 000004
【図３】
2014122934.tif 000005
【図４】
2014122934.tif 000006
【図５】
2014122934.tif 000007
【図６】
2014122934.tif 000008